(57)【要約】【課題】情報表示装置とセキュリティキーとを接続することなく使用でき、且つユーザのプライバシーに関わる内部記憶情報が外部に流出するのを防止することができる情報表示システム、及び情報表示装置とセキュリティキーを接続しないことにより両装置間で無駄な通信動作が行われるのを防止することができる情報表示システムを提供すること。【解決手段】電波発信装置と情報表示装置とを含む情報表示システムであって、電波発信装置は、出力用電波を発信する出力用電波発信手段と、出力用電波の発信条件を変更する制御を行う出力用電波制御手段を備え、情報表示装置は、内部記憶情報を格納する格納手段と、内部記憶情報を出力する出力手段と、出力用電波を受信すると共に出力用電波から出力手段が内部記憶情報を出力するための電力を生成する出力用電力生成手段とを備えることを特徴とする情報表示システム。【選択図】      図３      
2005071198.tif 000002
【特許請求の範囲】
【請求項１】
電波発信装置と情報表示装置とを含む情報表示システムであって、
前記電波発信装置は、出力用電波を発信する出力用電波発信手段と、該出力用電波発信手段により発信する出力用電波の発信条件を変更する制御を行う出力用電波制御手段とを備え、
前記情報表示装置は、内部記憶情報を格納する格納手段と、該格納手段に格納されている内部記憶情報を出力する出力手段と、前記出力用電波を受信すると共に受信した出力用電波から前記出力手段が前記格納手段に格納されている内部記憶情報を出力するための出力用電力を生成する出力用電力生成手段とを備えることを特徴とする情報表示システム。
【請求項２】
前記電波発信装置の出力用電波発信手段により発信される出力用電波には、前記電波発信装置のＩＤが重畳されており、前記情報表示装置は、自装置における電力消費量又は前記出力用電力生成手段の内部電圧レベルを検出する検出手段と、前記出力用電力生成手段により受信した前記出力用電波に重畳されているＩＤが予め自装置に登録されているものと一致するか否かを判別する判別手段と、前記出力用電波の発信を要求するための給電要求電波と、前記出力用電波を受信した場合に前記判別手段の判別結果に基づいてＡＣＫ電波又はＮＡＣＫ電波のどちらか一方の電波を発信する通信用電波発信手段と、前記検出手段の検出結果に基づいて前記通信用電波発信手段から前記給電要求電波を発信する頻度を制御する通信用電波制御手段とを備え、
前記電波発信装置は、前記給電要求電波と、前記ＡＣＫ電波又は前記ＮＡＣＫ電波のどちらか一方の電波を受信する通信用電波受信手段を備え、
前記電波発信装置の出力用電波制御手段は、前記通信用電波受信手段により前記ＡＣＫ電波を受信した場合に、該通信用電波受信手段により前記給電要求電波を受信する時間間隔に基づいて前記発信条件変更制御を行うことを特徴とする請求項１記載の情報表示システム。
【請求項３】
前記電波発信装置の出力用電波発信手段により発信される出力用電波には、前記電波発信装置のＩＤが重畳されており、前記情報表示装置は、自装置における電力消費量又は前記出力用電力生成手段の内部電圧レベルを検出する検出手段と、前記出力用電力生成手段により受信した前記出力用電波に重畳されているＩＤが予め自装置に登録されているものと一致するか否かを判別する判別手段と、前記出力用電波の発信を要求するための給電要求電波と、前記出力用電波を受信した場合に前記判別手段の判別結果に基づいてＡＣＫ電波又はＮＡＣＫ電波のどちらか一方の電波を発信する通信用電波発信手段と、前記判別手段により前記ＩＤが予め自装置に登録されているものと一致すると判別した場合に、前記通信用電波発信手段により前記給電要求電波を発信してからＡＣＫ電波を発信するまでの時間間隔を前記検出手段の検出結果に基づいて制御する通信用電波制御手段とを備え、
前記電波発信装置は、前記給電要求電波と、前記ＡＣＫ電波又は前記ＮＡＣＫ電波のどちらか一方の電波を受信する通信用電波受信手段を備え、
前記電波発信装置の出力用電波制御手段は、前記通信用電波受信手段により前記ＡＣＫ電波を受信した場合に、該通信用電波受信手段により前記給電要求電波を受信してから前記ＡＣＫ電波を受信するまでの時間間隔に基づいて前記発信条件変更制御を行うことを特徴とする請求項１記載の情報表示システム。
【請求項４】
前記電波発信装置の出力用電波発信手段により発信される出力用電波には、前記電波発信装置のＩＤが重畳されており、前記情報表示装置は、自装置における電力消費量又は前記出力用電力生成手段の内部電圧レベルを検出する検出手段と、前記出力用電力生成手段により受信した前記出力用電波に重畳されているＩＤが予め自装置に登録されているものと一致するか否かを判別する判別手段と、前記出力用電波の発信を要求するための給電要求電波と、前記出力用電波を受信した場合に前記判別手段の判別結果に基づいてＡＣＫ電波又はＮＡＣＫ電波のどちらか一方の電波を発信する通信用電波発信手段と、前記判別手段により前記ＩＤが予め自装置に登録されているものと一致すると判別した場合に、前記通信用電波発信手段に前記検出手段の検出結果に関する情報を含むＡＣＫ電波を発信させる制御を行う通信用電波制御手段とを備え、
前記電波発信装置は、前記給電要求電波と、前記ＡＣＫ電波又は前記ＮＡＣＫ電波のどちらか一方の電波を受信する通信用電波受信手段を備え、
前記電波発信装置の出力用電波制御手段は、前記通信用電波受信手段により前記ＡＣＫ電波を受信した場合に、当該ＡＣＫ電波に含まれている前記検出結果に関する情報に基づいて前記発信条件変更制御を行うことを特徴とする請求項１記載の情報表示システム。
【請求項５】
電波発信装置と情報表示装置とを含む情報表示システムであって、
電波発信装置は、自装置のＩＤを含むＩＤ電波を発信するＩＤ電波発信手段と、通信用電波を受信すると共に受信した通信用電波から前記ＩＤ電波発信手段によりＩＤ電波を発信するための通信用電力を生成する通信用電力生成手段とを備え、
前記情報表示装置は、内部記憶情報を格納する格納手段と、該格納手段に格納されている内部記憶情報を出力する出力手段と、前記通信用電波を発信する通信用電波発信手段と、前記ＩＤ電波を受信するＩＤ電波受信手段と、該ＩＤ電波受信手段により受信したＩＤ電波に含まれているＩＤが予め自装置に登録されているものと一致する場合に、前記出力手段が前記格納手段に格納されている内部記憶情報を出力するための出力用電力を自装置の各部に供給し、一致しない場合に前記出力手段への出力用電力の供給を停止又は禁止する電力供給手段と、自装置における電力消費量に基づいて前記通信用電波発信手段により前記通信用電波を発信する頻度を制御する通信用電波制御手段とを備えることを特徴とする情報表示システム。
【発明の詳細な説明】
【技術分野】
【０００１】
本発明は、情報表示システムに関し、詳しくはユーザの情報表示装置の置き忘れ等により情報表示装置内の内部記憶情報が外部に流出するのを防止する情報表示システムに関するものである。
【背景技術】
【０００２】
情報表示装置と、該情報表示装置から分離可能なセキュリティキーとからなる情報表示システムにおいて、ユーザを識別するためのパスワードを、情報表示装置のＲＡＭとセキュリティキーの数式エリアとに分割して格納しておき、情報表示装置にセキュリティキーが接続された際に、分割されていたパスワードを組み合わせて元のパスワードを復元し、復元されたパスワードがユーザによって入力されたパスワードと一致するか否かを判断してユーザを識別する情報表示システムがある（例えば、特許文献１参照。）。
【０００３】
この情報表示システムによれば、情報表示装置にセキュリティキーが接続された状態で復元されたパスワードと同じパスワードを入力しなければ情報表示装置内の内部記憶情報を出力させることはできないので、情報表示装置を何処かに置き忘れても、セキュリティキーを一緒に置き忘れなければ情報表示装置に格納されている内部記憶情報が第三者に盗み見られることはない。
【特許文献１】特開２００１−３４４０３７号公報（第４−５頁、第２図）
【発明の開示】
【発明が解決しようとする課題】
【０００４】
しかしながら、ユーザが上記の情報表示装置を使用する際には、情報表示装置とセキュリティキーを接続してパスワードを入力するという面倒な作業を毎回行わなければならず、また使用を終える際にも情報表示装置とセキュリティキーとを分離するという面倒な作業を行わなければならない。したがって、ユーザが情報表示装置を何処かに置き忘れる場合には、セキュリティキーを接続したまま置き忘れる可能性が高く、この場合、情報表示装置に格納されている内部記憶情報が第三者に盗み見られる危険性があるという問題点がある。
【０００５】
本発明は、上記課題に鑑みてなされたものであって、本発明の目的は、情報表示装置とセキュリティキーとを接続することなく使用でき、且つユーザのプライバシーに関わる内部記憶情報が外部に流出するのを防止することができる情報表示システム、及び情報表示装置とセキュリティキーを接続しないことにより両装置間で無駄な通信動作が行われるのを防止することができる情報表示システムを提供することである。
【課題を解決するための手段】
【０００６】
上記目的を達成するために、請求項１記載の情報表示システムは、電波発信装置と情報表示装置とを含む情報表示システムであって、前記電波発信装置は、出力用電波を発信する出力用電波発信手段と、該出力用電波発信手段により発信する出力用電波の発信条件を変更する制御を行う出力用電波制御手段とを備え、前記情報表示装置は、内部記憶情報を格納する格納手段と、該格納手段に格納されている内部記憶情報を出力する出力手段と、前記出力用電波を受信すると共に受信した出力用電波から前記出力手段が前記格納手段に格納されている内部記憶情報を出力するための出力用電力を生成する出力用電力生成手段とを備えることを特徴としている。
【０００７】
請求項２記載の情報表示システムは、請求項１に記載の情報表示システムにおいて、前記電波発信装置の出力用電波発信手段により発信される出力用電波には、前記電波発信装置のＩＤが重畳されており、前記情報表示装置は、自装置における電力消費量又は前記出力用電力生成手段の内部電圧レベルを検出する検出手段と、前記出力用電力生成手段により受信した前記出力用電波に重畳されているＩＤが予め自装置に登録されているものと一致するか否かを判別する判別手段と、前記出力用電波の発信を要求するための給電要求電波と、前記出力用電波を受信した場合に前記判別手段の判別結果に基づいてＡＣＫ電波又はＮＡＣＫ電波のどちらか一方の電波を発信する通信用電波発信手段と、前記検出手段の検出結果に基づいて前記通信用電波発信手段から前記給電要求電波を発信する頻度を制御する通信用電波制御手段とを備え、前記電波発信装置は、前記給電要求電波と、前記ＡＣＫ電波又は前記ＮＡＣＫ電波のどちらか一方の電波を受信する通信用電波受信手段を備え、前記電波発信装置の出力用電波制御手段は、前記通信用電波受信手段により前記ＡＣＫ電波を受信した場合に、該通信用電波受信手段により前記給電要求電波を受信する時間間隔に基づいて前記発信条件変更制御を行うことを特徴としている。
【０００８】
請求項３記載の情報表示システムは、請求項１に記載の情報表示システムにおいて、前記電波発信装置の出力用電波発信手段により発信される出力用電波には、前記電波発信装置のＩＤが重畳されており、前記情報表示装置は、自装置における電力消費量又は前記出力用電力生成手段の内部電圧レベルを検出する検出手段と、前記出力用電力生成手段により受信した前記出力用電波に重畳されているＩＤが予め自装置に登録されているものと一致するか否かを判別する判別手段と、前記出力用電波の発信を要求するための給電要求電波と、前記出力用電波を受信した場合に前記判別手段の判別結果に基づいてＡＣＫ電波又はＮＡＣＫ電波のどちらか一方の電波を発信する通信用電波発信手段と、前記判別手段により前記ＩＤが予め自装置に登録されているものと一致すると判別した場合に、前記通信用電波発信手段により前記給電要求電波を発信してからＡＣＫ電波を発信するまでの時間間隔を前記検出手段の検出結果に基づいて制御する通信用電波制御手段とを備え、前記電波発信装置は、前記給電要求電波と、前記ＡＣＫ電波又は前記ＮＡＣＫ電波のどちらか一方の電波を受信する通信用電波受信手段を備え、前記電波発信装置の出力用電波制御手段は、前記通信用電波受信手段により前記ＡＣＫ電波を受信した場合に、該通信用電波受信手段により前記給電要求電波を受信してから前記ＡＣＫ電波を受信するまでの時間間隔に基づいて前記発信条件変更制御を行うことを特徴としている。
【０００９】
請求項４記載の情報表示システムは、請求項１に記載の情報表示システムにおいて、前記電波発信装置の出力用電波発信手段により発信される出力用電波には、前記電波発信装置のＩＤが重畳されており、前記情報表示装置は、自装置における電力消費量又は前記出力用電力生成手段の内部電圧レベルを検出する検出手段と、前記出力用電力生成手段により受信した前記出力用電波に重畳されているＩＤが予め自装置に登録されているものと一致するか否かを判別する判別手段と、前記出力用電波の発信を要求するための給電要求電波と、前記出力用電波を受信した場合に前記判別手段の判別結果に基づいてＡＣＫ電波又はＮＡＣＫ電波のどちらか一方の電波を発信する通信用電波発信手段と、前記判別手段により前記ＩＤが予め自装置に登録されているものと一致すると判別した場合に、前記通信用電波発信手段に前記検出手段の検出結果に関する情報を含むＡＣＫ電波を発信させる制御を行う通信用電波制御手段とを備え、前記電波発信装置は、前記給電要求電波と、前記ＡＣＫ電波又は前記ＮＡＣＫ電波のどちらか一方の電波を受信する通信用電波受信手段を備え、前記電波発信装置の出力用電波制御手段は、前記通信用電波受信手段により前記ＡＣＫ電波を受信した場合に、当該ＡＣＫ電波に含まれている前記検出結果に関する情報に基づいて前記発信条件変更制御を行うことを特徴としている。
【００１０】
請求項５記載の情報表示システムは、電波発信装置と情報表示装置とを含む情報表示システムであって、電波発信装置は、自装置のＩＤを含むＩＤ電波を発信するＩＤ電波発信手段と、通信用電波を受信すると共に受信した通信用電波から前記ＩＤ電波発信手段によりＩＤ電波を発信するための通信用電力を生成する通信用電力生成手段とを備え、前記情報表示装置は、内部記憶情報を格納する格納手段と、該格納手段に格納されている内部記憶情報を出力する出力手段と、前記通信用電波を発信する通信用電波発信手段と、前記ＩＤ電波を受信するＩＤ電波受信手段と、該ＩＤ電波受信手段により受信したＩＤ電波に含まれているＩＤが予め自装置に登録されているものと一致する場合に、前記出力手段が前記格納手段に格納されている内部記憶情報を出力するための出力用電力を自装置の各部に供給し、一致しない場合に前記出力手段への出力用電力の供給を停止又は禁止する電力供給手段と、自装置における電力消費量に基づいて前記通信用電波発信手段により前記通信用電波を発信する頻度を制御する通信用電波制御手段とを備えることを特徴としている。
【発明の効果】
【００１１】
請求項１に記載の情報表示システムによれば、情報表示装置は、電波発信装置から空間を介して出力用電波を受信すると共に、出力用電波から出力用電力を生成することにより、格納手段に格納されている内部記憶情報を出力することができるので、情報表示装置をどこかに置き忘れた場合でも、電波発信装置を共に置き忘れなければ、情報表示装置の内部記憶情報がユーザの意に反して外部に漏洩するのを防止することができる。また、電波発信装置は、情報表示装置に対して発信する出力用電波の発信条件を制御することが可能なので、無駄な出力用電波の発信動作が行われるのを防止することができる。
【００１２】
請求項２乃至４に記載の情報表示システムによれば、情報表示装置は、受信した出力用電波に重畳されている電波発信装置のＩＤが予め自装置に登録されているものと一致する場合にのみ、受信した出力用電波から出力用電力を生成して内部記憶情報を出力することが可能なので、第三者が情報表示装置に登録されていない他の電波発信装置を用いて情報表示装置の内部記憶情報を出力させるのを防止することができる。また、電波発信装置から発信される出力用電波は、情報表示装置の使用状況に応じて、その発信条件が制御されるため、情報表示装置と電波発信装置との間で無駄な通信動作や給電動作が行われるのを防止することができる。
【００１３】
請求項５に記載の情報表示システムによれば、情報表示装置から電波発信装置に発信される通信用電波は、情報表示装置の使用状況に応じてその発信頻度が制御されるため、情報表示装置における消費電力が少なく内部記憶情報が外部に漏洩する危険性が少ない場合には通信用電波の発信頻度を少なくし、逆に情報表示装置における消費電力が多く内部記憶情報が外部に漏洩する危険性が高い場合には通信用電波の発信頻度を多くすることにより、最適な頻度で通信動作を行うことができる。
【発明を実施するための最良の形態】
【００１４】
以下、本発明を実施するための最良の形態に係る情報表示システムについて、図面に基づき説明する。図１は、本発明の第１の実施形態に係る情報表示システムＡを構成する情報表示装置Ｂと電波発信装置（セキュリティキー）Ｃとの間で空間を介して行われる電波の送受信を示した図である。この第１の実施形態に係る情報表示システムＡにおいては、情報表示装置Ｂが、自装置Ｂから発信した給電要求電波に対し電波発信装置Ｃから発信される出力用電波を空間を介して受信し、該出力用電波に重畳されている電波発信装置ＣのＩＤ（Identification）が予め自装置Ｂに登録されているものと一致する場合に、前記出力用電波から出力用電力を生成して内部記憶情報を表示する場合について説明する。なお、この情報表示システムＡは、携帯型情報端末装置（ＰＤＡ：Personal Digital Assistant）や電子ペーパー等の可搬型の情報表示装置に適用することができる。
【００１５】
情報表示装置Ｂは、画像データやテキストデータ等の内部記憶情報をＬＣＤ（Liquid Crystal Display）等の出力手段に表示させたり外部に出力することが可能な装置であり、ユーザによって自装置Ｂの電源スイッチ（不図示）のＯＮ操作がなされると、電波発信装置Ｃに対して給電要求電波を発信する。ここで、給電要求電波は、電波発信装置Ｃに対して出力用電波の発信を要求するための電波であり、電波発信装置Ｃとの間で予め定められた電波である。
【００１６】
一方、電波発信装置Ｃは、情報表示装置Ｂに対しワイヤレスで給電動作を行う可搬型の装置である。電波発信装置Ｃは、情報表示装置Ｂから発信された給電要求電波を空間を介して受信すると、情報表示装置Ｂに対し出力用電波を発信する。ここで、出力用電波は、情報表示装置Ｂが内部記憶情報をＬＣＤ等の出力手段に表示させたり外部に出力するために必要な電波であり、この出力用電波には電波発信装置ＣのＩＤが重畳されている。
【００１７】
情報表示装置Ｂは、電波発信装置Ｃから発信された出力用電波を受信すると、受信した出力用電波に重畳されているＩＤが予め自装置Ｂに登録されているものと一致するか否かを判別し、その認証結果の電波を発信する。具体的には、受信した出力用電波に重畳されているＩＤが予め自装置Ｂに登録されているものと一致すると判別した場合には電波発信装置Ｃに対してＡＣＫ（Acknowledgement）電波を発信する。一方、受信したＩＤが自装置Ｂに予め登録されているものと一致しないと判別した場合には、電波発信装置Ｃに対してＮＡＣＫ（Non-Acknowledgement）電波を発信する。また、情報表示装置Ｂは、受信した出力用電波に重畳されている電波発信装置ＣのＩＤが予め自装置Ｂに登録されているものと一致すると判断した場合には、該出力用電波から出力用電力を生成する。
【００１８】
これに対し、電波発信装置Ｃは、認証結果を示す電波としてＡＣＫ電波を空間を介して受信した場合、出力用電波の発信動作を情報表示装置Ｂから発信された給電要求電波を受信する度に行う。一方、認証結果を示す電波としてＮＡＣＫ電波を空間を介して受信した場合、出力用電波の発信を停止又は禁止する。すなわち、情報表示装置Ｂの電源スイッチのＯＮ操作が行われて最初に受信した認証結果を示す電波がＮＡＣＫ電波である場合には、自装置Ｃからの出力用電波の発信を禁止し、再度給電要求電波を受信したとしても、所定の禁止解除操作が行われるまでは、出力用電波の発信は行わない。また、出力用電波を繰り返し発信している場合に、例えば、情報表示装置Ｂの電源スイッチのＯＦＦ操作等により情報表示装置ＢからＮＡＣＫ電波が発信され、当該ＮＡＣＫ電波を受信した場合には、それまで行っていた出力用電波の発信を停止する。
【００１９】
すなわち、情報表示装置Ｂは、電波発信装置Ｃに対して給電要求電波を発信した後、電波発信装置Ｃから発信される出力用電波に重畳されている電波発信装置ＣのＩＤが予め自装置Ｂに登録されたものと一致すると判断してＡＣＫ電波を発信するという通信動作を繰り返し行うことにより、電波発信装置Ｃから継続して出力用電波を受信することができる。なお、情報表示装置Ｂは、電波発信装置Ｃに対して給電要求電波を発信するために必要な通信用電力を供給できる通信用電源は備えているが、内部記憶情報をＬＣＤ等に表示したり外部に出力できるだけの電力を供給できる電源を備えておらず、通信用電源から供給される電力では内部記憶情報の表示や外部への出力等が行えないようになっている。したがって、上記の通り継続して出力用電波を受信すると共に受信した出力用電波から出力用電力を生成することにより、自装置Ｂの内部記憶情報を表示したり外部に出力することが可能である。
【００２０】
次に、情報表示装置Ｂ及び電波発信装置Ｃの構成について図２に基づいて説明する。図示するように、情報表示装置Ｂは、制御部（ＭＰＵ：Microprocessing Unit）１、通信部２、ＲＯＭ（Read Only Memory）６、ＲＡＭ（Random Access Memory）７、データ記憶部８、操作部９、表示部１０、電力供給コントローラ１１、及び通信用電力供給部１２を備えたものであって、各部１乃至１２は、バス１３によって通信可能に接続されている。
【００２１】
制御部１は、所定のプログラムに従ってこの情報表示装置Ｂを構成する各部を制御するものである。通信部２は、電波発信装置Ｃとの間で電波の送受信を行うものであり、電波発信部３、出力用電力生成部４、及び内部電圧検出部５を備えている。電波発信部３は、制御部１の制御命令に従って電波発信装置Ｃに対して前記給電要求電波又は認証結果の電波であるＡＣＫ電波又はＮＡＣＫ電波を発信するものであり、通信用電波発信手段として機能する。出力用電力生成部４は、電波発信装置Ｃから発信された前記出力用電波を受信すると共に受信した出力用電波から出力用電力を生成するものであり、出力用電力生成手段として機能する。なお、出力用電力生成部４が受信する出力用電波にはＩＤの成分が含まれている。したがって、出力用電波は、出力用電力生成部４において出力用電力を生成するための電波成分とＩＤ成分とに周波数分解され、前記出力用電力を生成するための電波成分から出力用電力が生成される。また、分解されたＩＤ成分のＩＤは、制御部１によって予め自装置Ｂに登録されているものと一致するか否か判別され、この判別処理を行う制御部１が判別手段として機能する。ここで、制御部１が受信したＩＤが予め自装置Ｂに登録されているものと一致すると判断した場合には、電波発信部３からＡＣＫ電波が発信され、一致しないと判断した場合には、電波発信部３からＮＡＣＫ電波が発信される。内部電圧検出部５は、出力用電力生成部４における内部電圧レベルを検出するものであり、検出手段として機能する。
【００２２】
ＲＯＭ６は、制御部１によりこの情報表示装置Ｂの各部の動作が制御されるための各種プログラムを格納している。このＲＯＭ６に格納されているプログラムは、具体的には、電波発信装置Ｃから受信した出力用電波に含まれている電波発信装置ＣのＩＤが、予め自装置Ｂに登録されているものと一致するか否かを判別するための判別処理プログラムや、内部電圧検出部５の検出結果に基づいて電波発信部３から給電要求電波を発信する時間間隔を制御するための電波制御処理プログラム等である。制御部１は、このＲＯＭ６に格納されている電波制御処理プログラムに従い、内部電圧検出部５の検出結果に基づいて、出力用電力生成部４の内部電圧レベルが低いと判断した場合には、電波発信部３から給電要求電波を発信する頻度が多くなるように電波発信部３の給電要求電波の発信を制御し、逆に出力用電力生成部４の内部電圧レベルが高いと判断した場合には、電波発信部３から給電要求電波を発信する頻度が少なくなるように電波発信部３の給電要求電波の発信を制御する。したがって、ＲＯＭ６に格納されている電波制御処理プログラムに従って電波発信部３から給電要求電波を発信する頻度を制御する制御部１が通信用電波制御手段として機能する。
【００２３】
ＲＡＭ７は、不揮発性メモリで構成されており、各種設定情報等の他に予め登録された電波発信装置ＣのＩＤが格納されている。データ記憶部８は、不揮発性メモリで構成されており、登録されたメールアドレス、画像データ、テキストデータ等のユーザのプライバシーに関わる内部記憶情報１５を格納しており、格納手段として機能する。操作部９は、入力キー、カーソルキー等から構成され、ユーザが各種動作指示を入力するためのものである。また、情報表示装置Ｂの電源のＯＮ／ＯＦＦの操作は、この操作部９から行うことができる。表示部１０は、この情報表示装置Ｂの状態に関する情報、各種操作指示入力画面、動作状態、データ記憶部８に格納されている内部記憶情報１５等を表示するものであり、例えばＬＣＤからなるものであり、出力手段の一つとして機能する。なお、出力手段はこの表示部１０に限定されるものではなく、ここでは図示しないが、データ記憶部８に記憶されている内部記憶情報１５を情報表示装置Ｂの外部に出力する場合には外部出力用のインターフェースが、電子メールに添付して所定の宛先に送信する場合には、電子メール送信部が出力手段として機能する。
【００２４】
電力供給コントローラ１１は、出力用電力生成部４で生成される出力用電力を情報表示装置Ｂの各部に供給するものであり、制御部１は、この電力供給コントローラ１１から情報表示装置Ｂの各部に供給される出力用電力の電力量から情報表示装置Ｂにおける電力消費量を判断することができ、この電力供給コントローラ１１及び制御部１が検出手段として機能する。通信用電力供給部１２は、給電要求電波、ＡＣＫ電波、及びＮＡＣＫ電波を発信するために必要な通信用電力を電波発信部３、制御部１等に供給する。なお、この通信用電力は、出力用電力生成部４で生成される出力用電力よりも低い電力に設定されているため、この通信用電力ではデータ記憶部８に格納されている内部記憶情報１５を表示部１０に表示させたり、外部に出力させることはできない。
【００２５】
一方、電波発信装置Ｃは、情報表示装置Ｂが内部記憶情報１５を出力するための出力用電波を発信する装置であり、制御部２１、通信部２２、ＲＯＭ２５、ＲＡＭ２６、電力供給部２７、及びスピーカ２８を備えたものであって、各部２１乃至２８は、バス２９によって通信可能に接続されている。
【００２６】
制御部２１は、所定のプログラムに従ってこの電波発信装置Ｃを構成する各部を制御するものである。通信部２２は、情報表示装置Ｂとの間で電波の送受信を行うためのものであり、電波受信部２３と出力用電波発信部２４とを備えている。電波受信部２３は、情報表示装置Ｂから発信される給電要求電波、ＡＣＫ電波、ＮＡＣＫ電波を受信するものであり、通信用電波受信手段として機能する。出力用電波発信部２４は、出力用電波に自装置ＣのＩＤを重畳した出力用電波を情報表示装置Ｂに対して発信するものであり、出力用電波発信手段として機能する。
【００２７】
ＲＯＭ２５は、制御部２１によりこの電波発信装置Ｃの各部の動作が制御されるための各種プログラムを格納している。ＲＯＭ２５に格納されているプログラムは、具体的には、出力用電波発信部２４から出力用電波を発信するための電波発信処理プログラムや、給電要求電波を受信する時間間隔を計測するための計測処理プログラムや、情報表示装置Ｂに対して出力用電波を発信する時間間隔又は出力用電波の強度を制御するための電波制御処理プログラム等である。すなわち、ＲＯＭ２５に格納されている電波制御処理プログラムに従って出力用電波発信部２４から発信する出力用電波の発信条件を変更する制御（発信条件変更制御）を行う制御部２１が出力用電波制御手段として機能する。ここで、発信条件を変更する制御は、出力用電波を発信する時間間隔を変更する制御又は出力用電波の強度を変更する制御である。具体的には、電波受信部２３が給電要求電波を受信する時間間隔が短くなるにつれて、出力用電波発信部２４から発信される出力用電波は発信する時間間隔が短くなるように、又は出力用電波の強度が強くなるように出力用電波の発信条件が制御部２１によって制御される。
【００２８】
ＲＡＭ２６には、電波発信装置Ｃの設定情報の他に、自装置ＣのＩＤが格納されている。電力供給部２７は、電波発信装置Ｃの各部に電力を供給するものであり、出力用電波は、この電力供給部２７から供給される電力によって発信される。スピーカ２８は、情報表示装置ＢからＮＡＣＫ電波を受信した場合に所定の警告音を鳴動して自装置Ｃが情報表示装置Ｂに予め登録された装置ではないことをユーザに報知する。
【００２９】
以下、情報表示装置Ｂの電源スイッチのＯＮ操作が行われた場合に、情報表示装置Ｂ及び電波発信装置Ｃにおいて行われる処理動作について、図３に基づいて説明する。なお、情報表示装置Ｂにおける処理動作は、制御部１の制御命令に従って行われ、電波発信装置Ｃにおける処理動作は、制御部２１の制御命令に従って行われるものである。
【００３０】
情報表示装置Ｂは、ユーザによって自装置Ｂの電源スイッチのＯＮ操作が行われると、通信用電力供給部１２から供給される通信用電力によって電波発信部３から給電要求電波を発信する（Ｓ１）。なお、この給電要求電波の発信動作は、情報表示装置Ｂの電源スイッチがＯＮになっている間、繰り返し行われる。これに対し、電波発信装置Ｃは、情報表示装置Ｂから発信された給電要求電波を受信すると（Ｓ１１）、電力供給部２７から供給される電力によって出力用電波発信部２４から出力用電波を発信する（Ｓ１２）。
【００３１】
情報表示装置Ｂの出力用電力生成部４は、電波発信装置Ｃから発信された出力用電波を受信すると（Ｓ２）、制御部１は、受信した出力用電波に含まれているＩＤが予め自装置Ｂに登録されているものと一致するか否か判別する（Ｓ３）。情報表示装置Ｂの電波発信部３はその判別結果に基づいて認証結果を示す電波として、ＡＣＫ電波又はＮＡＣＫ電波を発信する（Ｓ４）。具体的には、電波発信部３は、制御部１が受信した出力用電波に含まれている電波発信装置ＣのＩＤが予めＲＡＭ７に格納されているものと一致すると判別した場合には、ＡＣＫ電波を発信し、一致しないと判別した場合にはＮＡＣＫ電波を発信する。なお、このＮＡＣＫ電波の発信動作は、情報表示装置Ｂの操作部９が操作されて電源スイッチのＯＦＦ操作が行われた場合にも行われる。
【００３２】
情報表示装置Ｂの出力用電力生成部４は、Ｓ４において電波発信部３が発信した認証結果を示す電波がＡＣＫ電波である場合（Ｓ５：ＡＣＫ）、受信した出力用電波から出力用電力を生成する（Ｓ６）。そして、電力供給コントローラ１１は、出力用電力生成部４で生成された出力用電力を制御部１の制御命令に従って自装置Ｂの各部に供給する（Ｓ７）。これにより、ユーザは、操作部９を操作してデータ記憶部８に格納されている内部記憶情報１５を表示部１０に表示させたり外部に出力させることができる。続いて、制御部１は、自装置Ｂの使用状況を判断し（Ｓ８）、その判断結果に基づいて電波発信部３から給電要求電波を発信する時間間隔を決定する（Ｓ９）。具体的には、制御部１は、内部電圧検出部５の検出結果に基づいて出力用電力生成部４の内部電圧レベルが低いと判断した場合、給電要求電波を発信する時間間隔が短くなるように給電要求電波を発信する時間間隔を決定する。そして、電波発信部３は、前記Ｓ１において出力用電波を発信してからＳ９において制御部１によって決定された前記時間間隔を経過した後に、Ｓ１に戻って再度給電要求電波を発信する。制御部１は、逆に内部電圧検出部５の検出結果に基づいて出力用電力生成部４の内部電圧レベルが高いと判断した場合には、給電要求電波を発信する時間間隔が長くなるように電波発信部３が給電要求電波を発信する時間間隔を決定する。制御部１は、このようにして情報表示装置Ｂの使用状況に応じて電波発信部３から給電要求電波を発信する頻度を制御する。一方、Ｓ４において電波発信部３が発信した認証結果を示す電波がＮＡＣＫ電波である場合（Ｓ５：ＮＡＣＫ）、出力用電力を生成することなく、処理を完了する。すなわち、情報表示装置Ｂの内部記憶情報１５は出力できない。
【００３３】
なお、本実施形態においては、制御部１は内部線圧検出部５の検出する出力用電力生成部４の内部電圧レベルに基づいて給電要求電波を発信する頻度を制御しているが、情報表示装置Ｂにおける電力消費量に基づいて電波発信部３から給電要求電波を発信する頻度を制御するようにしてもよい。具体的には、制御部１は、電力供給コントローラ１１によって情報表示装置Ｂの各部に供給される出力用電力の電力量が多い、すなわち情報表示装置Ｂにおける電力消費量が多い場合には、電波発信部３から給電要求電波が発信される頻度が多くなるように電波発信部３を制御し、逆に電力供給コントローラ１１によって情報表示装置Ｂの各部に供給される出力用電力の電力量が多い、すなわち情報表示装置Ｂにおける電力消費量が少ない場合には、電波発信部３から給電要求電波が発信される頻度が少なくなるように電波発信部３を制御する。
【００３４】
一方、電波発信装置Ｃの制御部２１は、電波受信部２３によって情報表示装置Ｂから発信された認証結果を示す電波を受信すると（Ｓ１３）、受信した電波がＡＣＫ電波であるかＮＡＣＫ電波であるかを判別する（Ｓ１４）。ここで、受信した電波がＡＣＫ電波であると判別した場合には（Ｓ１４：ＡＣＫ）、出力用電波発信部２４から発信する出力用電波の発信条件を変更する（Ｓ１５）。具体的には、制御部２１は、電波受信部２３が給電要求電波を受信する時間間隔を計測し、当該時間間隔が短い場合には出力用電波を発信している時間が長くなるように、又は出力用電波の強度が強くなるように電波発信部２４から発信する出力用電波の発信条件を決定する。そして、情報表示装置Ｂから発信される給電要求電波を再度受信した場合には（Ｓ１１）、出力用電波発信部２４は、このＳ１５において制御部２１が決定した発信条件で出力用電波を発信する（Ｓ１２）。逆に、前記時間間隔が長い場合には、出力用電波を発信している時間が短くなるように、又は出力用電波の強度が弱くなるように電波発信部２４から発信する出力用電波の発信条件を決定する。なお、このＳ１５における出力用電波の発信条件の決定は、電波受信部２３が給電要求電波を受信する時間間隔に基づいて行われるものであるため、情報表示装置Ｂから複数回数以上、給電要求電波を受信した場合に行われる。したがって、情報表示装置Ｂの電源スイッチのＯＮ操作が行われた後、最初に給電要求電波を受信した場合には、Ｓ１５における処理は行われない。
【００３５】
一方、電波発信装置Ｃの制御部２１は、Ｓ１４において受信した認証結果を示す電波がＮＡＣＫ電波であると判別した場合には（Ｓ１４：ＮＡＣＫ）、スピーカ２８から所定の警告音を鳴動した後、出力用電波発信部２４からの出力用電波の発信を停止又は禁止する（Ｓ１６）。
【００３６】
以上説明したように、情報表示装置Ｂは、電波発信装置Ｃに対して給電要求電波を発信し、電波発信装置Ｃは、情報表示装置Ｂに対して出力用電波を発信し、情報表示装置Ｂは、電波発信装置Ｃに対してＡＣＫ電波を発信するという通信動作を繰り返し行うことにより、電波発信装置Ｃから出力用電波が継続して発信され、情報表示装置Ｂでは内部記憶情報１５を表示部１０に表示させたり、外部に出力することが可能である。また、電波発信装置Ｃから発信される出力用電波は、電波受信部２３が給電要求電波を受信する時間間隔に基づいてその発信条件が制御されるため、無駄な通信動作や給電動作が行われるのを防止することができる。また、情報表示装置Ｂは、受信した出力用電波に含まれている電波発信装置ＣのＩＤが予め自装置に登録されているものと一致すると判別した場合にのみ電波発信装置Ｃから発信される出力用電波から出力用電力を生成して内部記憶情報１５を出力することができるので、ユーザが情報表示装置Ｂをどこかに置き忘れた場合でも、電波発信装置Ｃを共に置き忘れなければ情報表示装置Ｂでは出力用電力が生成されないので、内部記憶情報１５が外部に漏洩するのを防止することができる。加えて、第三者が電波発信装置Ｃと同型の他の電波発信装置を用いて情報表示装置Ｂの内部記憶情報１５を出力させることも防止することができる。
【００３７】
なお、本実施の形態では、情報表示装置Ｂは、電波発信部３から給電要求電波を発信する頻度を制御することにより、電波発信装置Ｃから発信される出力用電波の発信条件が変更されて無駄な通信動作や給電動作が行われるのを防止しているが、電波発信装置Ｃに出力用電波の発信条件を変更させる方法はこれに限定されるものではなく、以下に示すようにして電波発信装置Ｃに出力用電波の発信条件を変更させることもできる。
【００３８】
電波発信装置Ｂは、自装置Ｂの使用状況に応じて給電要求電波を発信してからＡＣＫ電波を発信するまでの時間間隔を変更する制御を行い、電波発信装置Ｃは、電波発信装置Ｂから発信された給電要求電波を受信してからＡＣＫ電波を受信するまでの時間間隔に基づいて、出力用電波の発信条件を変更する制御を行う。具体的には、情報表示装置Ｂの制御部１は、Ｓ８において自装置Ｂの使用状況を判断した後、Ｓ９において給電要求電波を発信する時間間隔を決定する代わりに、電波発信部３から給電要求電波を発信してからＡＣＫ電波を発信するまでの時間間隔を決定する。そして、次に給電要求電波を発信する場合に、給電要求電波を発信してからＳ９において決定した前記時間間隔を経過した後に電波発信部３からＡＣＫ電波を発信する。これに対し、電波発信装置Ｃの制御部２１は、Ｓ１１において給電要求電波を受信してからＳ１３においてＡＣＫ電波を受信するまでの時間間隔を計測し、当該時間間隔に基づいて出力用電波の発信条件を変更する。なお、本実施形態において説明したように給電要求電波を発信する時間間隔を変更する場合には、ＡＣＫ電波を発信する時間間隔も変更する必要があるが、この変形例に示すように、情報表示装置Ｂの電波発信部３から給電要求電波を発信してからＡＣＫ電波を発信するまでの時間間隔を変更する場合、給電要求電波を発信する時間間隔を一定にして、給電要求電波を発信してからＡＣＫ電波を発信するまでの時間のみを変更すればよいので、電波の制御を容易に行うことができる。
【００３９】
また、情報表示装置Ｂは、自装置Ｂの使用状況に関する情報を含んだＡＣＫ電波を電波発信部３から発信させるようにしてもよい。具体的には、情報表示装置Ｂの制御部１は、前記Ｓ８において内部電圧検出部５の検出結果に基づいて出力用電力生成部４の内部電圧レベルを判断した後、その判断結果に関する情報をＡＣＫ電波に重畳し、電波発信部３にそのＡＣＫ電波を発信させる。これに対し、電波発信装置Ｃの制御部２１は、電波受信部２３が受信したＡＣＫ電波に含まれている情報表示装置Ｂの内部電圧レベルに関する情報に基づいて、Ｓ１５において出力用電波の発信条件を決定する。このようにして、情報表示装置Ｂでは給電要求電波の発信頻度や給電要求電波を発信してからＡＣＫ電波を発信するまでの時間間隔を変更することなく電波発信装置Ｃに出力用電波の発信条件を変更させることも可能である。
【００４０】
以下、本発明の第２の実施形態に係る情報表示システムについて説明する。図４は、本発明の第２の実施形態に係る情報表示システムＤの構成を示したブロック図である。なお、本発明の第１の実施形態に係る情報表示システムＡと同一の構成のものには同一番号を付けてその説明を省略し、異なる点について以下で説明する。情報表示装置Ｅは、図２に示した第１の実施形態の情報表示装置Ｂにおいて、電波発信部３、出力用電力生成部４、内部電圧検出部５、及び通信用電力供給部１２の代わりに、通信用電波発信部３１、電波受信部３２、及び電力供給部３３を具備している。一方、電波発信装置Ｆは、電波発信装置Ｃにおいて、電波受信部２３、出力用電波発信部２４、及び電力供給部２７の代わりに、通信用電力生成部３７及びＩＤ電波発信部３８を具備している。
【００４１】
情報表示装置Ｅの通信用電波発信部３１は、通信用電波を発信するものであり、通信用電波発信手段として機能する。ここで、通信用電波は、電波発信装置Ｆが自装置ＦのＩＤを含むＩＤ電波を発信するために必要な通信用電力を生成するための電波である。電波受信部３２は、電波発信装置Ｆから発信されるＩＤ電波を受信するものであり、ＩＤ電波受信手段として機能する。電力供給部３３は、情報表示装置Ｅの各部が動作するための電力を供給するためのものであり、前記通信用電力供給部１２と異なり、自装置Ｅのデータ記憶部８に格納されている内部記憶情報１５を表示部１０に表示させたり、外部に出力するために必要な出力用電力を供給することができる。電力供給コントローラ１１は、ここでは電力供給部３３から自装置Ｅの各部への電力供給を制御するものであり、電力供給部３３及び該電力供給部３３から情報表示装置Ｂの各部へ出力用電力を供給する電力供給コントローラ１１が電力供給手段として機能する。
【００４２】
電波発信装置Ｆの通信用電力生成部３７は、情報表示装置Ｅから発信された通信用電波を受信すると共に受信した通信用電波から通信用電力を生成するものであり、通信用電力生成手段として機能する。ここで通信用電力は、電波発信装置ＦがＩＤ電波発信部３８からＩＤ電波を発信するために必要な電力である。ＩＤ電波発信部３８は、自装置ＦのＩＤを含むＩＤ電波を発信するものであり、ＩＤ電波発信手段として機能する。なお、電波発信装置Ｆは、自装置Ｆの各部が動作するための電源を有しておらず、通信用電力生成部３７において生成された通信用電力によってＩＤ電波発信部３８からＩＤ電波を発信する。
【００４３】
以下、本発明の第２の実施形態に係る情報表示システムＤの情報表示装置Ｅと電波発信装置Ｆとの間で行われる通信動作について、図５に基づいて説明する。なお、情報表示装置Ｅにおける処理動作は制御部１の制御命令に従って行われるものであり、電波発信装置Ｆにおける処理動作は、制御部２１の制御命令に従って行われるものである。
【００４４】
情報表示装置Ｅは、ユーザによって自装置Ｅの電源スイッチ（不図示）のＯＮ操作がなされると、電力供給部３３から電力供給コントローラ１１によって供給される電力により通信用電波発信部３１から通信用電波を発信する（Ｓ２１）。これに対し、電波発信装置Ｆの通信用電力生成部３７は、情報表示装置Ｅから発信された通信用電波を受信すると（Ｓ３１）、受信した通信用電波から通信用電力を生成する（Ｓ３２）。そして、制御部２１は、認証情報発信部３８にＩＤ電波を発信させる（Ｓ３３）。
【００４５】
情報表示装置Ｅの制御部２１は、電波発信装置Ｆから発信されたＩＤ電波を受信すると（Ｓ２２）、受信したＩＤ電波に含まれている電波発信装置ＦのＩＤが予め自装置Ｅに登録されているものと一致するか否かを判別する（Ｓ２３）。そして、一致すると判別した場合（Ｓ２３：ＹＥＳ）、電力供給コントローラ１１は電力供給部３３から出力用電力を自装置Ｅの各部に供給する（Ｓ２４）。これにより、情報表示装置Ｅは、データ記憶部８に格納されている内部記憶情報１５を表示部１０に表示させたり、外部に出力させることが可能である。続いて、制御部１は、電力供給コントローラ１１によって自装置Ｅの各部に供給されている出力用電力の電力量に基づいて自装置Ｅの使用状況を判断し（Ｓ２５）、通信用電波発信部３１から通信用電波を発信する時間間隔を決定する（Ｓ２６）。例えば、データ記憶部８に格納されている内部記憶情報１５が表示部１０に表示されているような場合には、通信用電波を発信する時間間隔が短くなるように当該時間間隔を決定し、逆に情報表示装置Ｅは電源ＯＮ状態であるが未使用に近い状態である場合には、通信用電波を発信する時間間隔が長くなるように当該時間間隔を決定する。そして、前記Ｓ２１で通信用電波を発信してからＳ２７において決定した前記時間間隔を経過した後に、再度Ｓ２１に戻って通信用電波発信部３１から通信用電波を発信する。制御部１は、このようにして、情報表示装置Ｅの電力消費量に基づいて通信用電波発信部３１から通信用電波を発信する頻度を制御する。
【００４６】
一方、情報表示装置Ｅの制御部１は、前記Ｓ２３において受信したＩＤ電波に含まれている電波発信装置ＦのＩＤが予め自装置Ｅに登録されているものと一致しないと判別した場合（Ｓ２３：ＮＯ）、電力供給コントローラ１１に電力供給部３３から自装置Ｅの各部への出力用電力の供給を停止させる（Ｓ２７）。なお、制御部１は、Ｓ２１において通信用電波を通信用電波発信部３１から発信したにも関わらず、電波発信装置Ｆとの距離が離れているために電波発信装置ＦからＩＤ電波が発信されないような場合にもこの制御を行う。
【００４７】
以上説明したように、本発明の第２の実施形態に係る情報表示システムＤによれは、情報表示装置Ｅの使用状況に応じて電波発信装置Ｆに通信用電波を発信する時間間隔が制御されるため、データ記憶部８の内部記憶情報１５が外部に漏洩する危険性が高い場合には認証回数を増やし、逆にデータ記憶部８の内部記憶情報１５が外部に漏洩する危険性が低い場合には、認証回数を減らすことにより、無駄な給電動作や通信動作が行われるのを防止することができる。
【産業上の利用可能性】
【００４８】
空間を介して通信動作や給電動作を行う情報表示装置本体と、本体と分離された電波発信装置からなる、例えば、ＰＤＡや電子ペーパ等の可搬型の情報表示装置に適用することができる。
【図面の簡単な説明】
【００４９】
【図１】本発明の第１の実施形態に係る情報表示システムの情報表示装置と電波発信装置との間で行われる通信動作について説明するための図である。
【図２】本発明の第１の実施形態に係る情報表示システムの構成を示したブロック図である。
【図３】本発明の第１の実施形態に係る情報表示システムの情報表示装置と電波発信装置において行われる処理動作を示した図である。
【図４】本発明の第２の実施形態に係る情報表示システムの構成を示したブロック図である。
【図５】本発明の第２の実施形態に係る情報表示システムの情報表示装置と電波発信装置において行われる処理動作を示した図である。
【符号の説明】
【００５０】
Ａ、Ｄ    情報表示システム
Ｂ、Ｅ    情報表示装置
Ｃ、Ｆ    電波発信装置
１    制御部（通信用電波制御手段）
３    電波発信部（通信用電波発信手段）
４    出力用電力生成部（出力用電力生成手段）
５    内部電圧検出部（検出手段）
８    データ記憶部（格納手段）
１０    表示部（出力手段）
１１    電力供給コントローラ（検出手段）
１５    内部記憶情報
２１    制御部（出力用電波制御手段）
２３    電波受信部（通信用電波受信手段）
２４    出力用電波発信部（出力用電波発信手段）
３１    通信用電波発信部（通信用電波発信手段）
３２    電波受信部（ＩＤ電波受信手段）
３３    電力供給部（電力供給手段）
３７    通信用電力生成部（通信用電力生成手段）
３８    ＩＤ電波発信部（ＩＤ電波発信手段）
【図１】
2005071198.tif 000003
【図２】
2005071198.tif 000004
【図３】
2005071198.tif 000005
【図４】
2005071198.tif 000006
【図５】
2005071198.tif 000007